(57)【要約】【課題】ヨロイとテンプルとの連結部の構造を簡単にすることにより、加工、組立てを容易にし、全体のコストを低減させる。【解決手段】ヨロイ１の上側固定片３と下側固定片５との間に支持軸２１を設け、テンプル１１の可動片１３に係合溝２２を設け、支持軸２１を係合溝２２内に係合させることでヨロイ１とテンプル１１とを回動自在に連結する。ヨロイ１の上側固定片３及び下側固定片５にそれぞれ固定側磁石３１を圧入し、テンプル１１の可動片１３に可動側磁石３２を圧入し、両固定側磁石３１、３１間に可動側磁石３２を挿入し、それらの磁石３１、３１、３２を互いに吸引させ、テンプル１１を全開位置に保持する。【選択図】　　　　図１
2004109841.tif 000002
【特許請求の範囲】
【請求項１】
一対の枠、両枠の内縁部間に連結されるブリッジ、各枠の外縁部に設けられるヨロイ、各ヨロイに回動自在に連結されるテンプル等の複数の部品からなるメガネフレームの連結部の構造であって、前記ヨロイと前記テンプルとを回動自在に連結する連結機構と、前記テンプルを磁力により所定の位置に保持するとともに、前記テンプルが所定の位置よりも更に回動しようとしたときに、前記テンプルを所定の位置の方向に押圧する保持機構とを備えてなることを特徴とするメガネフレームの連結部の構造。
【請求項２】
前記保持機構は、前記ヨロイ側に対向して設けられる一対の固定側磁石と、前記テンプル側に設けられるとともに、前記一対の固定側磁石間に介装されて前記一対の固定側磁石と相互に吸引し合う可動側磁石とからなることを特徴とする請求項１に記載のメガネフレームの連結部の構造。
【請求項３】
前記連結機構は、前記ヨロイ側に設けられる支持軸と、前記テンプル側に設けられるとともに、前記支持軸を回動自在に係合させる係合溝とからなることを特徴とする請求項１又は２に記載のメガネフレームの連結部の構造。
【請求項４】
前記連結機構は、前記ヨロイ側に設けられる連結ネジと、前記テンプル側に設けられるとともに、前記連結ネジを回動自在に挿通させる連結孔であることを特徴とする請求項１又は２に記載のメガネフレームの連結部の構造。
【請求項５】
前記連結機構は、前記ヨロイ側に設けられる割りピンと、前記テンプル側に設けられるとともに、前記割りピンを回動自在に挿通させる連結孔であることを特徴とする請求項１又は２に記載のメガネフレームの連結部の構造。
【発明の詳細な説明】
【０００１】
【発明の属する技術分野】
本発明は、メガネフレームの連結部の構造に関し、特に、テンプルとヨロイとの連結部の構造に関するものである。
【０００２】
【従来の技術】
メガネフレームの一例として、一対の枠、両枠の内縁部間に連結されるブリッジ、各枠の外縁部に一体に設けられるヨロイ、各ヨロイに蝶番を介して回動自在に連結されるテンプル等の複数の部品からなるものが知られている。
【０００３】
この場合、蝶番は、対向して設けられる一対の固定片と、固定片間に回動自在に挿着される可動片と、両固定片と可動片とを相対的に回動自在に連結するネジ等の部品から構成されている。
【０００４】
そして、固定片をヨロイ側に一体に設け、可動片をテンプル側に一体に設け、可動片を固定片間に挿入し、固定片と可動片との間にネジを挿通させ、固定片と可動片とを相対的に回動自在に連結することで、ヨロイにテンプルが回動自在に連結されるものである（例えば、特許文献１参照。）。
【０００５】
【特許文献１】
特開２００２−１２２８１７号公報　（第３図）
【０００６】
【発明が解決しようとする課題】
しかしながら、上記のような構成のメガネフレームの連結部の構造にあっては、蝶番が固定片、可動片、ネジ等の複数の部品から構成されているため、それらの部品の加工、組立てに手間がかかるとともに、それらのヨロイ及びテンプルへの取付けにも手間がかかり、メガネフレーム全体としてコスト高となってしまう。
【０００７】
本発明は、上記のような従来の問題を解決したものであって、ヨロイとテンプルとの連結部の構造、組立てを簡単にすることにより、加工、組立てに要する手間を削減でき、これによりメガネフレーム全体としてのコストを低減させることのできるメガネフレームの連結部の構造を提供することを目的とするものである。
【０００８】
【課題を解決するための手段】
上記のような課題を解決するために、本発明の請求項１に係るメガネフレームの連結部の構造は、一対の枠、両枠の内縁部間に連結されるブリッジ、各枠の外縁部に設けられるヨロイ、各ヨロイに回動自在に連結されるテンプル等の複数の部品からなるメガネフレームの連結部の構造であって、前記ヨロイと前記テンプルとを回動自在に連結する連結機構と、前記テンプルを磁力により所定の位置に保持するとともに、前記テンプルが所定の位置よりも更に回動しようとしたときに、前記テンプルを所定の位置の方向に押圧する保持機構とを備えてなる手段を採用したものである。
また、請求項２に係るメガネフレームの連結部の構造は、請求項１に記載のメガネフレームの連結部の構造において、前記保持機構は、前記ヨロイ側に対向して設けられる一対の固定側磁石と、前記テンプル側に設けられるとともに、前記一対の固定側磁石間に介装されて前記一対の固定側磁石と相互に吸引し合う可動側磁石とからなる手段を採用したものである。
さらに、請求項３に係るメガネフレームの連結部の構造は、請求項１又は２に記載のメガネフレームの連結部の構造において、前記連結機構は、前記ヨロイ側に設けられる支持軸と、前記テンプル側に設けられるとともに、前記支持軸を回動自在に係合させる係合溝とからなる手段を採用したものである。
さらに、請求項４に係るメガネフレームの連結部の構造は、請求項１又は２に記載のメガネフレームの連結部の構造において、前記連結機構は、前記ヨロイ側に設けられる連結ネジと、前記テンプル側に設けられるとともに、前記連結ネジを回動自在に挿通させる連結孔である手段を採用したものである。
さらに、請求項５に係るメガネフレームの連結部の構造は、請求項１又は２に記載のメガネフレームの連結部の構造において、前記連結機構は、前記ヨロイ側に設けられる割りピンと、前記テンプル側に設けられるとともに、前記割りピンを回動自在に挿通させる連結孔である手段を採用したものである。
【０００９】
【作用】
本発明は、前記のような手段を採用したことにより、ヨロイとテンプルとは、支持軸と係合溝、連結ネジと連結孔又は割りピンと連結孔との組合せからなる連結機構を介して回動自在に連結される。また、テンプルは、保持機構の固定側磁石と可動側磁石との協働によって所定の位置に保持されるとともに、所定の位置よりも更に回動しようとしたときに、保持機構の固定側磁石と可動側磁石との協働によって所定の位置の方向に押圧されることになる。
【００１０】
【発明の実施の形態】
以下、図面に示す本発明の実施の形態について説明する。
図１〜図６には、本発明によるメガネフレームの連結部の構造の第１の実施の形態が示されていて、このメガネフレームの連結部の構造は、メガネフレームのヨロイ１とテンプル１１との連結部に適用したものであって、ヨロイ１とテンプル１１とを相対的に回動自在に連結する連結機構２０と、テンプル１１を所定の位置に保持する保持機構３０とを備えている。
【００１１】
ヨロイ１は、略Ｌ形状をなすものであって、一端部がメガネフレームの枠側に溶接等により一体に連結され、他端部にテンプル取付部２が設けられるようになっている。
【００１２】
テンプル取付部２は、上下方向に所定の間隔をおいて対向する板状の上側固定片３と下側固定片５とを有し、上側固定片３及び下側固定片５の根元部にはそれぞれ上下方向に貫通した状態で磁石取付用孔４、６が設けられるようになっている。
【００１３】
テンプル１１は、棒状をなすものであって、一端部にヨロイ取付部１２が設けられ、このヨロイ取付部１２とヨロイ１のテンプル取付部２とを後述する連結機構２０を介して回動自在に連結することで、テンプル１１がヨロイ１に対して所定の範囲内を相対的に回動自在となるものである。
【００１４】
ヨロイ取付部１２は、ヨロイ１の上側固定片３と下側固定片５との間に回動自在に挿入可能な板状の可動片１３を有し、可動片１３の先端部には上下方向に貫通した状態で磁石取付用孔１４が設けられるようになっている。
【００１５】
連結機構２０は、ヨロイ１の上側固定片３と下側固定片５の対向する先端部内面間に垂直に取り付けられる丸棒状の支持軸２１と、テンプル１１の可動片１３の根元部に上下方向に貫通した状態で設けられるとともに、ヨロイ１側の支持軸２１を回動自在に係合させる係合溝２２とから構成されている。
【００１６】
係合溝２２は、略Ｌ形状をなすものであって、一端がテンプル１１の軸線と直交する可動片１３の周面の部分に開口し、他端部に支持軸２１を回動自在に係合させる係合部２３が設けられるようになっている。
【００１７】
連結機構２０によりヨロイ１とテンプル１１とを回動自在に連結するには、図２に示すように、ヨロイ１の上側固定片３と下側固定片５との間に矢印の方向からテンプル１１の可動片１３を挿入させ、テンプル１１側の係合溝２２内にヨロイ１側の支持軸２１を係合させる。そして、このように係合溝２２内に支持軸２１を係合させることで、図３に示すように、テンプル１１がヨロイ１に対して矢印方向に相対的に回動自在となるものである。
【００１８】
保持機構３０は、ヨロイ１の上側固定片３の磁石取付用孔４内及び下側固定片５の磁石取付用孔６内にそれぞれ圧入される円柱状の固定側磁石３１、３１と、テンプル１１の可動片１３の磁石取付用孔１４内に圧入される円柱状の可動側磁石３２とから構成され、ヨロイ１の上側固定片３と下側固定片５との間にテンプル１１の可動片１３を挿入させることにより、ヨロイ１の固定側磁石３１、３１間にテンプル１１の可動側磁石３２が軸線を一致させた状態で位置し、両磁石３１、３１、３２が相互に吸引し合ってテンプル１１が所定の位置、すなわち全開位置に保持されるものである。
【００１９】
この場合、ヨロイ１の上側固定片３には、上端にＮ極が位置し下端にＳ極が位置するように固定側磁石３１が圧入され、下側固定片５には、上端にＮ極が位置し下端にＳ極が位置するように固定側磁石３１が圧入され、テンプル１１の可動片１３には、上端にＮ極が位置し下端にＳ極が位置するように可動側磁石３２が圧入され、それらの磁石３１、３１、３２はテンプルが全開位置に位置する際、軸線が一致するように構成されている。なお、固定側磁石３１のＮ極とＳ極を逆にし、可動側磁石３２のＮ極とＳ極を逆にしても良い。
【００２０】
保持機構３０は、テンプル１１が全開位置よりも更に外方に回動し、固定側磁石３１、３１と可動側磁石３２との軸線がずれたときに、両磁石３１、３１、３２間に軸線を元の状態に戻そうとする吸引力が作用することにより、テンプル１１を全開位置の方向に押圧する機能を有しており、この機能により、メガネフレームを顔に装着したときに、テンプル１１を顔の方向に押し付けることができ、メガネフレームが装着位置からずれるのを防止できるものである。
【００２１】
そして、図４に示すように、テンプル１１を閉じる方向に回動させて全閉位置に位置させると、ヨロイ１の固定側磁石３１、３１間からテンプル１１の可動側磁石３２が完全に離脱し、両磁石３１、３１、３２間に吸引力が作用していない状態となり、テンプル１１がメガネフレームの枠の裏面側に折り畳まれた状態となる。
【００２２】
そして、図５に示すように、テンプル１１を開く方向に回動させてテンプル１１を全開位置に位置させると、ヨロイ１の固定側磁石３１、３１間にテンプル１１の可動側磁石３２が軸線を一致させた状態で位置し、それらの磁石３１、３１、３２間に吸引力が作用し、テンプル１１が全開位置に保持される。
【００２３】
さらに、図６に示すように、テンプル１１を全開位置から更に開く方向に回動させると、ヨロイ１の固定側磁石３１、３１の軸線とテンプル１１の可動側磁石３２の軸線とにずれが生じ、この両磁石３１、３１、３２間に軸線を元に戻そうとする吸引力が作用し、この吸引力によりテンプル１１が全開位置方向に押圧されることになる。
【００２４】
上記のように構成したこの実施の形態によるメガネフレームの連結部の構造にあっては、ヨロイ１とテンプル１１とを相対的に回動自在に連結する連結機構２０は、ヨロイ１側に設けた支持軸２１と、テンプル１１側に設けた支持軸２１を係合させる係合溝２２とからなる簡単な構造のものであり、また、テンプル１１を所定の位置に保持する保持機構３０は、ヨロイ１側に設けた一対の固定側磁石３１、３１と、テンプル１１側に設けた可動側磁石３２とからなる簡単な構造のものであるので、部品点数を少なく、個々の部品の構造を簡単にすることができることになる。従って、加工、組立てが容易となるので、メガネフレーム全体としてのコストを低減させることができることになる。さらに、ヨロイ１とテンプル１１とは、ヨロイ１の上側固定片３と下側固定片５との間にテンプル１１の可動片１３を挿入させ、テンプル１１側の係合溝２２内にヨロイ１側の支持軸２１を係合させることにより、相対的に回動自在に連結されることになるので、テンプル１１の交換が容易である。
【００２５】
図７〜図１２には、本発明によるメガネフレームの連結部の構造の第２の実施の形態が示されていて、このメガネフレームの連結部の構造は、テンプル１１の可動片１３の根元部に設ける略Ｌ形状の係合溝２２を、その一端がテンプル１１の軸線と略平行する可動片１３の周面の部分に開口するように構成したものであって、その他の構成は前記第１の実施の形態に示すものと同様である。
【００２６】
そして、この実施の形態によるメガネフレームの連結部の構造においては、図８に示すように、ヨロイ１の上側固定片３と下側固定片５との間に矢印の方向からテンプル１１の可動片１３を挿入させ、テンプル１１側の係合溝２２内にヨロイ１側の支持軸２１を係合させることで、図９に示すように、テンプル１１とヨロイ１とが矢印方向に相対的に回動自在に連結されるものである。
【００２７】
そして、この実施の形態によるメガネフレームの連結部の構造にあっても、図１０に示すように、テンプル１１を閉じる方向に回動させて全閉位置に位置させると、ヨロイ１の両固定側磁石３１、３１間からテンプル１１の可動側磁石３２が完全に離脱し、それらの磁石３１、３１、３２間に吸引力が作用していない状態となり、テンプル１１がメガネフレームの枠の裏面側に折り畳まれた状態となる。
【００２８】
そして、図１１に示すように、テンプル１１を開く方向に回動させてテンプル１１を全開位置に位置させると、ヨロイ１の両固定側磁石３１、３１間にテンプル１１の可動側磁石３２が軸線を一致させた状態で位置することによりそれらの磁石間に吸引力が作用し、テンプル１１が全開位置に保持される。
【００２９】
そして、図１２に示すように、テンプル１１を全開位置から更に開く方向に回動させると、ヨロイ１の両固定側磁石３１、３１の軸線とテンプル１１の可動側磁石３２の軸線とにずれが生じ、これらの磁石３１、３１、３２間に軸線を元に戻そうとする吸引力が作用することにより、テンプル１１が全開位置方向に押圧されることになる。
【００３０】
上記のように構成したこの実施の形態によるメガネフレームの連結部の構造にあっても、前記第１の実施の形態に示すものと同様に、ヨロイ１とテンプル１１とを相対的に回動自在に連結する連結機構２０は、ヨロイ１側に設けた支持軸２１と、テンプル１１側に設けた支持軸２１を係合させる係合溝２２とからなる簡単な構造のものであり、また、テンプル１１を所定の位置に保持する保持機構３０は、ヨロイ１側に設けた一対の固定側磁石３１、３１と、テンプル１１側に設けた可動側磁石３２とからなる簡単な構造のものであるので、部品点数を少なく、個々の部品の構造を簡単にすることができることになる。従って、加工、組立てが容易となるので、メガネフレーム全体としてのコストを低減させることができることになる。さらに、ヨロイ１とテンプル１１とは、ヨロイ１の上側固定片３と下側固定片５との間にテンプル１１の可動片１３を挿入させ、テンプル１１側の係合溝２２内にヨロイ１側の支持軸２１を係合させることで、相対的に回動自在に連結されることになるので、テンプル１１の交換が容易となる。
【００３１】
図１３〜図１８には、本発明によるメガネフレームの第３の実施の形態が示されていて、このメガネフレームの連結部の構造は、連結機構２０を、テンプル１１の可動片１３の根元部に上下方向に貫通する連結孔２４を設け、この連結孔２４に対応するヨロイ１の下側固定片５の先端部に上下方向に貫通する挿通孔２５を設け、上側固定片３の先端部に上下方向に貫通するネジ孔２６を設け、連結ネジ２７をヨロイ１の下方から下側固定片５の挿通孔２５及び可動片１３の連結孔２４内を挿通させ、上側固定片３のネジ孔２６に螺合させて構成したものであって、その他の構成は前記第１の実施の形態に示すものと同様である。
【００３２】
すなわち、図１４に示すように、ヨロイ１の上側固定片３と下側固定片５との間に矢印の方向からテンプル１１の可動片１３を挿入させ、連結ネジ２７をヨロイ１の下方から下側固定片５の挿通孔２５及び可動片１３の連結孔２４を挿通させ、上側固定片３のネジ孔２６に螺合させることで、図１５に示すように、テンプル１１とヨロイ１とが矢印方向に相対的に回動自在に連結されるものである。
【００３３】
そして、この実施の形態によるメガネフレームの連結部の構造にあっても、図１６に示すように、テンプル１１を閉じる方向に回動させて全閉位置に位置させると、ヨロイ１の両固定側磁石３１、３１間からテンプル１１の可動側磁石３２が完全に離脱し、それらの磁石３１、３１、３２間に吸引力が作用していない状態となり、テンプル１１がメガネフレームの枠の裏面側に折り畳まれた状態となる。
【００３４】
また、図１７に示すように、テンプル１１を開く方向に回動させてテンプル１１を全開位置に位置させると、ヨロイ１の両固定側磁石３１、３１間にテンプル１１の可動側磁石３２が軸線を一致させた状態で位置し、それらの磁石３１、３１、３２間に吸引力が作用することによりテンプル１１が全開位置に保持される。
【００３５】
さらに、図１８に示すように、テンプル１１を全開位置から更に開く方向に回動させると、ヨロイ１の両固定側磁石３１、３１の軸線とテンプル１１の可動側磁石３２の軸線とにずれが生じ、これらの磁石３１、３１、３２間に軸線を元に戻そうとする吸引力が作用することにより、テンプル１１が全開位置方向に押圧されることになる。
【００３６】
上記のように構成したこの実施の形態によるメガネフレームの連結部の構造にあっても、前記第１の実施の形態に示すものと同様に、ヨロイ１とテンプル１１とを相対的に回動自在に連結する連結機構２０は、ヨロイ１の下側固定片５に設けた挿通孔２５と、上側固定片３に設けたネジ孔２６と、テンプル１１の可動片１３に設けた連結孔２４と、それらの間に取り付けられる連結ネジ２７とからなる簡単な構造のものであり、また、テンプル１１を所定の位置に保持する保持機構３０は、ヨロイ１側に設けた一対の固定側磁石３１、３１と、テンプル１１側に設けた可動側磁石３２とからなる簡単な構造のものであるので、部品点数を少なく、個々の部品の構造を簡単にすることができることになる。従って、加工、組立てが容易となるので、メガネフレーム全体としてのコストを低減させることができることになる。
【００３７】
図１９〜図２５には、本発明によるメガネフレームの連結部の構造の第４の実施の形態が示されていて、このメガネフレームの連結部の構造は、連結機構２０を、ヨロイ１の下側固定片５を上側固定片３よりも小さく形成し、上側固定片３の先端部に、図２０に示すように先端部を十字状のすり割り形状に形成した割りピン２８を下方に突出した状態で設け、この割りピン２８に対応するテンプル１１の可動片１３の根元部の部分に上下方向に貫通する連結孔２９を設け、この連結孔２９内に割りピン２８を挿通させて割りピン２８の先端部を可動片１３の下面側に係止させて構成したものであって、その他の構成は前記第１の実施の形態に示すものと同様である。
【００３８】
すなわち、図２１に示すように、ヨロイ１の上側固定片３側の割りピン２８をテンプル１１の可動片１３の連結孔２９内を上方から挿通させ、割りピン２８の先端部を可動片１３の下面側に係止させ、この状態でヨロイ１の上側固定片３と下側固定片５との間にテンプル１１の可動片１３を挿入させることで、図２２に示すように、テンプル１１とヨロイ１とが矢印方向に相対的に回動自在に連結されるものである。
【００３９】
そして、この実施の形態によるメガネフレームの連結部の構造にあっても、図２３に示すように、テンプル１１を閉じる方向に回動させて全閉位置に位置させると、ヨロイ１の両固定側磁石３１、３１間からテンプル１１の可動側磁石３２が完全に離脱し、それらの磁石３１、３１、３２間に吸引力が作用していない状態となり、テンプル１１がメガネフレームの枠の裏面側に折り畳まれた状態となる。
【００４０】
また、図２４に示すように、テンプル１１を開く方向に回動させてテンプル１１を全開位置に位置させると、ヨロイ１の両固定側磁石３１、３１間にテンプル１１の可動側磁石３２が軸線を一致させた状態で位置し、それらの磁石３１、３１間に吸引力が作用することにより、テンプル１１が全開位置に保持される。
【００４１】
さらに、図２５に示すように、テンプル１１を全開位置から更に開く方向に回動させると、ヨロイ１の両固定側磁石３１、３１の軸線とテンプル１１の可動側磁石３２の軸線とにずれが生じ、これらの磁石３１、３１、３２間に軸線を元に戻そうとする吸引力が作用することにより、テンプル１１が全開位置方向に押圧されることになる。
【００４２】
上記のように構成したこの実施の形態によるメガネフレームの連結部の構造にあっても、前記第１の実施の形態に示すものと同様に、ヨロイ１とテンプル１１とを相対的に回動自在に連結する連結機構２０は、ヨロイ１の上側固定片３に設けた割りピン２８と、テンプル１１の可動片１３に設けた割りピン２８を挿通させる連結孔２９とからなる簡単な構造のものであり、また、テンプル１１を所定の位置に保持する保持機構３０は、ヨロイ１側に設けた一対の固定側磁石３１、３１と、テンプル１１側に設けた可動側磁石３２とからなる簡単な構造のものであるので、部品点数を少なく、個々の部品の構造を簡単にすることができることになる。従って、加工、組立てが容易となるので、メガネフレーム全体としてのコストを低減させることができることになる。
【００４３】
図２６〜図３１には、本発明によるメガネフレームの連結部の構造の第５の実施の形態が示されていて、このメガネフレームの連結部の構造は、連結機構２０を、テンプル１１の可動片１３の先端部に上下方向に貫通する連結孔２４を設け、この連結孔２４に対応するヨロイ１の下側固定片５の根元部の部分に上下方向に貫通する挿通孔２５を設け、上側固定片３の根元部の部分に上下方向に貫通するネジ孔２６を設け、ヨロイ１の下方から連結ネジ２７を、下側固定片５の挿通孔２５及び可動片１３の連結孔２４内を挿通させて上側固定片３のネジ孔２６内に螺合させて構成したものであって、その他の構成は前記第１の実施の形態に示すものと同様である。
【００４４】
すなわち、図２７に示すように、矢印の方向からテンプル１１の可動片１３をヨロイ１の上側固定片３と下側固定片５との間に挿入し、可動片１３の連結孔２４と下側固定片５の挿通孔２５及び上側固定片３のネジ孔２６とを一致させ、下方から連結ネジ２７を下側固定片５の挿通孔２５及び可動片１３の連結孔２４内を挿通させ、上側固定片３のネジ孔２６に螺合させることで、図２８に示すように、テンプル１１とヨロイ１とが矢印方向に相対的に回動自在に連結されるものである。
【００４５】
そして、この実施の形態によるメガネフレームの連結部の構造にあっても、図２９に示すように、テンプル１１を閉じる方向に回動させて全閉位置に位置させると、ヨロイ１の両固定側磁石３１、３１間からテンプル１１の可動側磁石３２が完全に離脱し、それらの磁石３１、３１、３２間に吸引力が作用していない状態となり、テンプル１１がメガネフレームの枠の裏面側に折り畳まれた状態となる。
【００４６】
また、図３０に示すように、テンプル１１を開く方向に回動させてテンプル１１を全開位置に位置させると、ヨロイ１の両固定側磁石３１、３１間にテンプル１１の可動側磁石３２が軸線を一致させた状態で位置し、それらの磁石３１、３１、３２間に吸引力が作用することにより、テンプル１１が全開位置に保持される。
【００４７】
さらに、図３１に示すように、テンプル１１を全開位置から更に開く方向に回動させると、ヨロイ１の両固定側磁石３１、３１の軸線とテンプル１１の可動側磁石３２の軸線とにずれが生じ、これらの磁石３１、３１、３２間に軸線を元に戻そうとする吸引力が作用することにより、テンプル１１が全開位置方向に押圧されることになる。
【００４８】
上記のように構成したこの実施の形態によるメガネフレームの連結部の構造にあっても、前記第１の実施の形態に示すものと同様に、ヨロイ１とテンプル１１とを相対的に回動自在に連結する連結機構２０は、テンプル１１の可動片１３に設けた連結孔２４と、その連結孔２４に対応するヨロイ１の下側固定片５の根元部に設けた挿通孔２５と、上側固定片３に設けたネジ孔２６と、下側固定片５の挿通孔２５と可動片１３の連結孔２４と上側固定片３のネジ孔２６との間に取り付けられる連結ネジ２７とからなる簡単な構造のものであり、また、テンプル１１を所定の位置に保持する保持機構３０は、ヨロイ１側に設けた一対の固定側磁石３１、３１と、テンプル１１側に設けた可動側磁石３２とからなる簡単な構造のものであるので、部品点数を少なく、個々の部品の構造を簡単にすることができることになる。従って、加工、組立てが容易となるので、メガネフレーム全体としてのコストを低減させることができることになる。
【００４９】
図３２〜図３７には、本発明によるメガネフレームの連結部の構造の第６の実施の形態が示されていて、このメガネフレームの連結部の構造は、連結機構２０を、ヨロイ１の下側固定片５の根元部に半円形状の切欠部を設け、その切欠部に対応する上側固定片３の部分に前記第４の実施の形態に示すものと同様の構成の割りピン２８を設け、この割りピン２８に対応するテンプル１１の先端部に上下方向に貫通する連結孔２９を設け、この連結孔２９内に割りピン２８を挿通させて割りピン２８の先端部を可動片１３の下面側に係止させて構成したものであって、その他の構成は前記第１の実施の形態に示すものと同様である。
【００５０】
すなわち、図３３に示すように、ヨロイ１の割りピン２８をテンプル１１の連結孔２９内を挿通させ、その先端部を可動片１３の下面側に係止させ、この状態でヨロイ１の上側固定片３と下側固定片５との間にテンプル１１の可動片１３を挿入させることで、図３４に示すように、テンプル１１とヨロイ１とが矢印方向に相対的に回動自在に連結されるものである。
【００５１】
そして、この実施の形態に示すメガネフレームの連結部の構造にあっても、図３５に示すように、テンプル１１を閉じる方向に回動させて全閉位置に位置させると、ヨロイ１の両固定側磁石３１、３１間からテンプル１１の可動側磁石３２が完全に離脱し、それらの磁石３１、３１、３２間に吸引力が作用していない状態となり、テンプル１１がメガネフレームの枠の裏面側に折り畳まれた状態となる。
【００５２】
また、図３６に示すように、テンプル１１を開く方向に回動させてテンプル１１を全開位置に位置させると、ヨロイ１の両固定側磁石３１、３１間にテンプル１１の可動側磁石３２が軸線を一致させた状態で位置し、それらの磁石３１、３１、３２間に吸引力が作用することにより、テンプル１１が全開位置に保持される。
【００５３】
さらに、図３７に示すように、テンプル１１を全開位置から更に開く方向に回動させると、ヨロイ１の両固定側磁石３１、３１の軸線とテンプル１１の可動側磁石３２の軸線とにずれが生じ、これらの両磁石３１、３１、３２間に軸線を元に戻そうとする吸引力が作用することにより、テンプル１１が全開位置方向に押圧されることになる。
【００５４】
上記のように構成したこの実施の形態によるメガネフレームの連結部の構造にあっても、前記第１の実施の形態に示すものと同様に、ヨロイ１とテンプル１１とを相対的に回動自在に連結する連結機構２０は、ヨロイ１の上側固定片３に設けた割りピン２８と、テンプル１１の可動片１３に設けた割りピン２８を挿通させる連結孔２９とからなる簡単な構造のものであり、また、テンプル１１を所定の位置に保持する保持機構３０は、ヨロイ１側に設けた一対の固定側磁石３１、３１と、テンプル１１側に設けた可動側磁石３２とからなる簡単な構造のものであるので、部品点数を少なく、個々の部品の構造を簡単にすることができることになる。従って、加工、組立てが容易となるので、メガネフレーム全体としてのコストを低減させることができることになる。
【００５５】
図３８〜図４４には、本発明によるメガネフレームの連結部の構造の第７の実施の形態が示されていて、このメガネフレームの連結部の構造は、連結機構２０を、ヨロイ１の上側固定片３と下側固定片５の先端部間に設けられる支持軸２１と、テンプル１１の可動片１３の根元部に設けられる係合溝２２とによって構成し、係合溝２２内に支持軸２１を係合させたものであって、その他の構成は前記第１の実施の形態に示すものと同様である。
【００５６】
この場合、図３９に示すように、支持軸２１は、円柱状をなすものの対向する２面を面取りして断面トラック形状に形成し、係合溝２２を支持軸２１の対向する２面間を挿入させる幅に形成し、係合溝２２の係合部２３を支持軸２１の最大径に対応する径に形成している。
【００５７】
そして、図４０に示すように、矢印の方向から可動片１３を上側固定片３と下側固定片５との間に挿入し、支持軸２１を係合溝２２内に係合させることで、図４１に示すように、テンプル１１がヨロイ１に対して矢印方向に相対的に回動自在となるものである。
【００５８】
そして、この実施の形態に示すメガネフレームの連結部の構造にあっても、図４２に示すように、テンプル１１を閉じる方向に回動させて全閉位置に位置させると、ヨロイ１の両固定側磁石３１、３１間からテンプル１１の可動側磁石３２が完全に離脱し、それらの磁石３１、３１、３２間に吸引力が作用していない状態となり、テンプル１１がメガネフレームの枠の裏面側に折り畳まれた状態となる。
【００５９】
また、図４３に示すように、テンプル１１を開く方向に回動させてテンプル１１を全開位置に位置させると、ヨロイ１の両固定側磁石３１、３１間にテンプル１１の可動側磁石３２が軸線を一致させた状態で位置し、それらの磁石３１、３１、３２間に吸引力が作用することにより、テンプル１１が全開位置に保持される。
【００６０】
さらに、図４４に示すように、テンプル１１を全開位置から更に開く方向に回動させると、ヨロイ１の両固定側磁石３１、３１の軸線とテンプル１１の可動側磁石３２の軸線とにずれが生じ、これらの磁石３１、３１、３２間に軸線を元に戻そうとする吸引力が作用することにより、テンプル１１が全開位置方向に押圧されることになる。
【００６１】
上記のように構成したこの実施の形態によるメガネフレームの連結部の構造にあっても、前記第１の実施の形態に示すものと同様に、ヨロイ１とテンプル１１とを相対的に回動自在に連結する連結機構２０は、ヨロイ１の上側固定片３と下側固定片５との間に設けた支持軸２１と、この支持軸２１を係合させるテンプル１１の可動片１３に設けた係合溝２２とからなる簡単な構造のものであり、また、テンプル１１を所定の位置に保持する保持機構３０は、ヨロイ１側に設けた一対の固定側磁石３１、３１と、テンプル１１側に可動側磁石３２とからなる簡単な構造のものであるので、部品点数を少なく、個々の部品の構造を簡単にすることができることになる。従って、加工、組立てが容易となるので、メガネフレーム全体としてのコストを低減させることができることになる。さらに、ヨロイ１とテンプル１１は、可動片１３を上側固定片３と下側固定片５との間に挿入し、支持軸２１を係合溝２２内に係合させることにより、相対的に回動自在に連結されることになるので、テンプル１１の交換が容易となる。
【００６２】
【発明の効果】
本発明は、請求項１のように構成したことにより、ヨロイとテンプルとは連結機構によって回動自在に連結されることになる。また、テンプルは、保持機構の磁力により所定の位置、例えば全開位置に保持され、さらに保持機構の磁力により所定の位置よりも更に回動したときに所定の位置の方向に押圧されることになる。この場合、連結機構及び保持機構は構造が簡単なものであるので、加工、組立てが容易となり、メガネフレーム全体としてのコストを低減させることができる。
また、請求項２のように構成したことにより、保持機構は、ヨロイ側に対向して設けられる一対の固定側磁石と、テンプル側に設けられるとともに、一対の固定側磁石間に介装されて一対の固定側磁石と相互に吸引し合う可動側磁石とからなる簡単な構造のものであるので、加工、組立てが容易となり、メガネフレーム全体としてのコストを低減させることができる。
さらに、請求項３のように構成したことにより、連結機構は、ヨロイ側に設けられる支持軸と、テンプル側に設けられるとともに、支持軸を回動自在に係合させる係合溝とからなる簡単な構造のものであるので、加工、組立てが容易となり、メガネフレーム全体としてのコストを低減させることができる。
さらに、請求項４のように構成したことにより、連結機構は、ヨロイ側に設けられる連結ネジと、テンプル側に設けられるとともに、連結ネジを回動自在に挿通させる連結孔である簡単な構造のものであるので、加工、組立てが容易となり、メガネフレーム全体としてのコストを低減させることができる。
さらに、請求項５のように構成したことにより、連結機構は、ヨロイ側に設けられる割りピンと、テンプル側に設けられるとともに、割りピンを回動自在に挿通させる連結孔である簡単な構造のものであるので、加工、組立てが容易となり、メガネフレーム全体としてのコストを低減させることができる。
【図面の簡単な説明】
【図１】本発明によるメガネフレームの連結部の構造の第１の実施の形態を示した説明図であって、組立て前の状態を示した説明図である。
【図２】第１の実施の形態のメガネフレームの連結部の構造の組立て手順を示した説明図である。
【図３】第１の実施の形態のメガネフレームの連結部の構造の組立て手順を示した説明図である。
【図４】第１の実施の形態のメガネフレームの連結部の構造の作動状態を示した説明図であって、テンプルが全閉位置に位置する状態を示した説明図である。
【図５】第１の実施の形態のメガネフレームの連結部の構造の作動状態を示した説明図であって、テンプルが全開位置に位置する状態を示した説明図である。
【図６】第１の実施の形態のメガネフレームの連結部の構造の作動状態を示した説明図であって、テンプルが全開位置よりも更に回動した状態を示した説明図である。
【図７】本発明によるメガネフレームの連結部の構造の第２の実施の形態を示した説明図であって、組立て前の状態を示した説明図である。
【図８】第２の実施の形態のメガネフレームの連結部の構造の組立て手順を示した説明図である。
【図９】第２の実施の形態のメガネフレームの連結部の構造の組立て手順を示した説明図である。
【図１０】第２の実施の形態のメガネフレームの連結部の構造の作動状態を示した説明図であって、テンプルが全閉位置に位置する状態を示した説明図である。
【図１１】第２の実施の形態のメガネフレームの連結部の構造の作動状態を示した説明図であって、テンプルが全開位置に位置する状態を示した説明図である。
【図１２】第２の実施の形態のメガネフレームの連結部の構造の作動状態を示した説明図であって、テンプルが全開位置よりも更に回動した状態を示した説明図である。
【図１３】本発明によるメガネフレームの連結部の構造の第３の実施の形態を示した説明図であって、組立て前の状態を示した説明図である。
【図１４】第３の実施の形態のメガネフレームの連結部の構造の組立て手順を示した説明図である。
【図１５】第３の実施の形態のメガネフレームの連結部の構造の組立て手順を示した説明図である。
【図１６】第３の実施の形態のメガネフレームの連結部の構造の作動状態を示した説明図であって、テンプルが全閉位置に位置する状態を示した説明図である。
【図１７】第３の実施の形態のメガネフレームの連結部の構造の作動状態を示した説明図であって、テンプルが全開位置に位置する状態を示した説明図である。
【図１８】第３の実施の形態のメガネフレームの連結部の構造の作動状態を示した説明図であって、テンプルが全開位置よりも更に回動した状態を示した説明図である。
【図１９】本発明によるメガネフレームの連結部の構造の第４の実施の形態を示した説明図であって、組立て前の状態を示した説明図である。
【図２０】図１９の部分拡大図である。
【図２１】第４の実施の形態のメガネフレームの連結部の構造の組立て手順を示した説明図である。
【図２２】第４の実施の形態のメガネフレームの連結部の構造の組立て手順を示した説明図である。
【図２３】第４の実施の形態のメガネフレームの連結部の構造の作動状態を示した説明図であって、テンプルが全閉位置に位置する状態を示した説明図である。
【図２４】第４の実施の形態のメガネフレームの連結部の構造の作動状態を示した説明図であって、テンプルが全開位置に位置する状態を示した説明図である。
【図２５】第４の実施の形態のメガネフレームの連結部の構造の作動状態を示した説明図であって、テンプルが全開位置よりも更に回動した状態を示した説明図である。
【図２６】本発明によるメガネフレームの連結部の構造の第５の実施の形態を示した説明図であって、組立て前の状態を示した説明図である。
【図２７】第５の実施の形態のメガネフレームの連結部の構造の組立て手順を示した説明図である。
【図２８】第５の実施の形態のメガネフレームの連結部の構造の組立て手順を示した説明図である。
【図２９】第５の実施の形態のメガネフレームの連結部の構造の作動状態を示した説明図であって、テンプルが全閉位置に位置する状態を示した説明図である。
【図３０】第５の実施の形態のメガネフレームの連結部の構造の作動状態を示した説明図であって、テンプルが全開位置に位置する状態を示した説明図である。
【図３１】第５の実施の形態のメガネフレームの連結部の構造の作動状態を示した説明図であって、テンプルが全開位置よりも更に回動した状態を示した説明図である。
【図３２】本発明によるメガネフレームの連結部の構造の第６の実施の形態を示した説明図であって、組立て前の状態を示した説明図である。
【図３３】第６の実施の形態のメガネフレームの連結部の構造の組立て手順を示した説明図である。
【図３４】第６の実施の形態のメガネフレームの連結部の構造の組立て手順を示した説明図である。
【図３５】第６の実施の形態のメガネフレームの連結部の構造の作動状態を示した説明図であって、テンプルが全閉位置に位置する状態を示した説明図である。
【図３６】第６の実施の形態のメガネフレームの連結部の構造の作動状態を示した説明図であって、テンプルが全開位置に位置する状態を示した説明図である。
【図３７】第６の実施の形態のメガネフレームの連結部の構造の作動状態を示した説明図であって、テンプルが全開位置よりも更に回動した状態を示した説明図である。
【図３８】本発明によるメガネフレームの連結部の構造の第７の実施の形態を示した説明図であって、組立て前の状態を示した説明図である。
【図３９】図３８の部分拡大図である。
【図４０】第７の実施の形態のメガネフレームの連結部の構造の組立て手順を示した説明図である。
【図４１】第７の実施の形態のメガネフレームの連結部の構造の組立て手順を示した説明図である。
【図４２】第７の実施の形態のメガネフレームの連結部の構造の作動状態を示した説明図であって、テンプルが全閉位置に位置する状態を示した説明図である。
【図４３】第７の実施の形態のメガネフレームの連結部の構造の作動状態を示した説明図であって、テンプルが全開位置に位置する状態を示した説明図である。
【図４４】第７の実施の形態のメガネフレームの連結部の構造の作動状態を示した説明図であって、テンプルが全開位置よりも更に回動した状態を示した説明図である。
【符号の説明】
１……ヨロイ
２……テンプル取付部
３……上側固定片
４、６、１４……磁石取付用孔
５……下側固定片
１１……テンプル
１２……ヨロイ取付部
１３……可動片
２０……連結機構
２１……支持軸
２２……係合溝
２３……係合部
２４、２９……連結孔
２５……挿通孔
２６……ネジ孔
２７……連結ネジ
２８……割りピン
３０……保持機構
３１……固定側磁石
３２……可動側磁石
【図１】
2004109841.tif 000003
【図２】
2004109841.tif 000004
【図３】
2004109841.tif 000005
【図４】
2004109841.tif 000006
【図５】
2004109841.tif 000007
【図６】
2004109841.tif 000008
【図７】
2004109841.tif 000009
【図８】
2004109841.tif 000010
【図９】
2004109841.tif 000011
【図１０】
2004109841.tif 000012
【図１１】
2004109841.tif 000013
【図１２】
2004109841.tif 000014
【図１３】
2004109841.tif 000015
【図１４】
2004109841.tif 000016
【図１５】
2004109841.tif 000017
【図１６】
2004109841.tif 000018
【図１７】
2004109841.tif 000019
【図１８】
2004109841.tif 000020
【図１９】
2004109841.tif 000021
【図２０】
2004109841.tif 000022
【図２１】
2004109841.tif 000023
【図２２】
2004109841.tif 000024
【図２３】
2004109841.tif 000025
【図２４】
2004109841.tif 000026
【図２５】
2004109841.tif 000027
【図２６】
2004109841.tif 000028
【図２７】
2004109841.tif 000029
【図２８】
2004109841.tif 000030
【図２９】
2004109841.tif 000031
【図３０】
2004109841.tif 000032
【図３１】
2004109841.tif 000033
【図３２】
2004109841.tif 000034
【図３３】
2004109841.tif 000035
【図３４】
2004109841.tif 000036
【図３５】
2004109841.tif 000037
【図３６】
2004109841.tif 000038
【図３７】
2004109841.tif 000039
【図３８】
2004109841.tif 000040
【図３９】
2004109841.tif 000041
【図４０】
2004109841.tif 000042
【図４１】
2004109841.tif 000043
【図４２】
2004109841.tif 000044
【図４３】
2004109841.tif 000045
【図４４】
2004109841.tif 000046